(57)【特許請求の範囲】
【請求項１】
下紙片と前記下紙片より狭巾の上紙片とを折り重ねて剥離可能に接着されてなり、前記上紙片の表面に往信用郵便番号及び往信宛名が表示され、前記下紙片の表面の前記上紙片の側端から延出する領域に往信用の郵便はがきの表示が施され、前記下紙片の裏面に返信用の郵便はがきの表示、返信用郵便番号及び返信宛名が表示され、前記下紙片の裏面の返信用の郵便はがきの表示、返信用郵便番号及び返信宛名を被覆するように隠蔽シールが剥離可能に貼着された構成からなり、前記隠蔽シールが、外面から順に隠蔽性基材層と熱可塑性樹脂層と透明プラスチックフイルム層と粘着剤層と透明プラスチックフイルム層と粘着剤層とからなる構成であることを特徴とする返信葉書付き隠蔽葉書。
【請求項２】
前記下紙片の表面の前記上紙片と剥離可能に接着された面に隠蔽を必要とする個人情報がプリントされていることを特徴とする請求項１記載の返信葉書付き隠蔽葉書。
【発明の詳細な説明】
【０００１】
【発明の属する技術分野】
本発明は隠蔽シールが添付された返信葉書付き隠蔽葉書に関する。
【０００２】
【従来の技術】
従来、返信葉書付きの葉書としては往復葉書が一般的に使用されているが、往復葉書の場合は、往信時及び返信時に表示された個人情報等を隠蔽することができないという欠点があった。また、表示した情報を隠蔽できる葉書としては、２つ折りないしは３つ折りされ対向する各紙片間を剥離可能に接着した隠蔽葉書が一般的に使用されているが、隠蔽葉書の場合には、紙片間を剥離して返信葉書として使用することができないという欠点があった。
【０００３】
【発明が解決しようとする課題】
本発明は、通常の葉書を往復葉書として使用することができると共に、往信時及び返信時に表示された情報を隠蔽することができる返信葉書付き隠蔽葉書を提供することである。
【０００４】
【課題を解決するための手段】
下紙片と前記下紙片より狭巾の上紙片とを折り重ねて剥離可能に接着されてなり、前記上紙片の表面に往信用郵便番号及び往信宛名が表示され、前記下紙片の表面の前記上紙片の側端から延出する領域に往信用の郵便はがきの表示が施され、前記下紙片の裏面に返信用の郵便はがきの表示、返信用郵便番号及び返信宛名が表示され、前記下紙片の裏面の返信用の郵便はがきの表示、返信用郵便番号及び返信宛名を被覆するように隠蔽シールが剥離可能に貼着された構成の返信葉書付き隠蔽葉書である。この場合、剥離可能に接着された上紙片と下紙片を剥離して切り離し、下紙片の裏面に剥離可能に貼着されている隠蔽シールを剥離して、隠蔽シールが剥離された面に往信時には隠蔽されていた返信用の郵便はがきの表示、返信用郵便番号及び返信宛名を露出させることにより、返信葉書として使用することができるものである。また、返信葉書を同封した封書を使用するのではなしに、通常の葉書として返信葉書を送付することができるので、封書の場合と比べて価格的に安くなる。
【０００５】
上記の返信葉書付き隠蔽葉書において、前記下紙片の表面の前記上紙片と剥離可能に接着された面に隠蔽を必要とする個人情報等をプリントした構成とすることにより、剥離可能に接着された上紙片と下紙片を剥離して見開くと、プリントされた個人情報等が露出するので隠蔽葉書として使用することができる。また、下紙片を返信葉書として使用する際に、下紙片の裏面に剥離可能に貼着されている隠蔽シールを剥離し、個人情報等がプリントされた領域に貼着することにより、返信葉書についても個人情報等を隠蔽できる隠蔽葉書として使用することができるものである。
【０００６】
上記の返信葉書付き隠蔽葉書において、前記隠蔽シールを、隠蔽性基材層と粘着剤層とからなる構成、ないしは外面から順に隠蔽性基材層と熱可塑性樹脂層と透明プラスチックフイルム層と粘着剤層と透明プラスチックフイルム層と粘着剤層とからなる構成とすることにより、貼着された隠蔽シールを剥離して、再度貼着することにより隠蔽シールとして使用することができるものである。
【０００７】
【発明の実施の形態】
以下、図面に基づいて本発明の実施の形態を説明する。
図１は本発明の第１実施形態の（イ）は表面を示す図で（ロ）は裏面を示す図、図２は図１におけるＩ−Ｉ断面図、図３は第１実施形態における展開した状態の上紙片の表面側を示す平面図、図４は第１実施形態における展開した状態の上紙片の裏面側を示す平面図、図５は第１実施形態において下紙片を返信葉書として使用する状態の（イ）は葉書表面を示す図で（ロ）は裏面を示す図、図６は本発明の第２実施形態の構成を示す図２に対応する断面図であって、１は上紙片、２は下紙片、3, 6は隠蔽シール、４は感圧接着剤、５は隠蔽情報表示欄、11は隠蔽基材層、12, 15, 17は粘着剤層、13は熱可塑性樹脂層、14, 16は透明プラスチックフイルム層を表す。
【０００８】
本発明の返信葉書付き隠蔽葉書の第１実施形態は図１（イ）、（ロ）、図２に示すとおりであり、下紙片２と下紙片２より狭巾の上紙片１とを折り重ねて対向する下紙片２の表面と上紙片１の裏面間を剥離可能に接着した構成である。第１実施形態における表面は、図１（イ）に示すように、上紙片１の表面には往信用の郵便番号及び往信宛名がプリントされ、下紙片２の表面の上紙片１の側端から延出する側端部の領域に往信用の郵便はがきの表示が施されている。裏面は、図１（ロ）に示すように、下紙片２の裏面には返信用の郵便はがきの表示が施されると共に返信用郵便番号及び返信宛名がプリントされ、下紙片２の裏面の返信用の郵便はがきの表示、返信用郵便番号及び返信宛名の全体を覆って隠蔽シール３が剥離可能に貼着されている。図１（ロ）においては、説明し易くするために隠蔽シール３にて隠蔽されている返信用の郵便はがきの表示、返信用郵便番号及び返信宛名が見えるように図示しているが、実際は、返信用の郵便はがきの表示、返信用郵便番号及び返信宛名は完全に隠蔽シール３により隠蔽された状態となっており、隠蔽シール３の表面が露出しているのみである。隠蔽シール３の表面には隠蔽シール３の使用方法の説明等が表示されている。
【０００９】
第１実施形態の断面形状は、図２に示すとおりであって、上紙片１と下紙片２は紙層の一方の面に感圧接着剤層４が積層された構成の素材からなり、上紙片１と下紙片２との対向する面が感圧接着剤４により剥離可能に接着されて、上紙片１と下紙片２を剥離して見開けるようにされている。下紙片２の裏面には、返信用の郵便はがきの表示、返信用郵便番号及び返信宛名を覆うように隠蔽シール３が剥離可能に貼着されている。第１実施形態における隠蔽シール３の構成は、隠蔽性基材層11と粘着剤層12との積層体からなり、粘着剤層12により剥離可能に下紙片２の裏面に貼着されている。隠蔽シール３の大きさは、下紙片２の裏面の返信用の郵便はがきの表示、返信用郵便番号及び返信宛名の全てを覆うことができ、且つ下紙片２を返信葉書として使用する際に、隠蔽情報表示欄５の全体を被覆することができるものであることが必要である。
【００１０】
第１実施形態の返信葉書付き隠蔽葉書の展開した状態は図３、図４に示すとおりである。表面側は、図３に示すとおり、上紙片１の表面側と下紙片２の裏面側とが連接された状態であり、上紙片１の面には、往信用の郵便番号及び往信宛名がプリントされており、下紙片２の面には、返信用の郵便はがきの表示、返信用郵便番号及び返信宛名がプリントされて、それらの全面を覆うように隠蔽シール３が剥離可能に貼着されている。
【００１１】
第１実施形態の展開した状態の裏面側は、図４に示すとおり、下紙片２の裏面側と上紙片１の表面側とが折目を介して連接された状態である。下紙片２の面には折目と反対側の側端部に往信用の郵便はがきの表示が施されると共に隠蔽情報表示欄５が設けられ、上紙片１の面には連絡事項等からなる情報表示欄が設けられている。本実施形態においては、隠蔽情報表示欄５は総合口座定期預金利用申込書兼預金口座振替依頼書とされており、口座番号欄、氏名欄、印鑑欄、振替金額欄、預入期間欄等が設けられているが、隠蔽情報表示欄５の内容は用途により任意に設定できるものである。本実施形態においては、下紙片２の面に個人情報等が表示される隠蔽情報表示欄５を設けているが、下紙片２の面には隠蔽情報表示欄５を設けずに隠蔽を必要としない一般情報を表示するようにしてもよい。下紙片２の面に隠蔽情報表示欄５が設けられていない場合には、隠蔽シール３を剥離した状態でそのまま下紙片２を返信葉書として使用すればよい。
【００１２】
第１実施形態の返信葉書付き隠蔽葉書を見開いて上紙片１と下紙片２とを折目にて切り離し、下紙片２を返信葉書として使用する状態における返信葉書の表面は、図５（イ）に示すとおり、下紙片２に貼着されている隠蔽シール３を剥離することにより、返信用の郵便はがきの表示、返信用郵便番号及び返信宛名が表示された状態であり、返信葉書の裏面は、図５（ロ）に示すとおり、隠蔽情報表示欄５及びその他の記入欄に必要事項を記入し捺印した後に、下紙片２に貼着されていた隠蔽シール３を剥離し、往信用の郵便はがきの表示及び隠蔽情報表示欄５の全体を覆うように、隠蔽シール３を貼着して隠蔽した状態である。したがって、返信葉書においても個人情報等を隠蔽した状態で郵送することが可能となるものである。返信葉書の受取り側においては、貼着された隠蔽シール３を剥離することにより隠蔽情報表示欄５に記入された内容を確認することができる。
【００１３】
第１実施形態にて使用する隠蔽シールの構成は、隠蔽性基材層11と粘着剤層12との積層体からなるものである。隠蔽性基材層11としては隠蔽性の優れた紙ないしは紙と他の隠蔽性の優れた基材との積層体を使用し、粘着剤層12としては再剥離、再貼着可能な粘着剤を使用したものである。隠蔽シール３としては、例えば、アクリル系樹脂からなる粘着剤を使用した、リピール１７１０（リンテック株式会社）等が好適に使用できる。
【００１４】
本発明の隠蔽葉書の第２実施形態は、図６に示すとおり、上紙片１と下紙片２との対向する面が感圧接着剤４により剥離可能に接着されて上紙片１と下紙片２が見開けるようにされると共に折目にて切り取り可能とされている構成、及び上紙片１と下紙片２への表示の内容は第１実施形態と同じであるが、下紙片２の裏面に剥離可能に貼着されている隠蔽シール６の構成が異なっている。本実施形態における隠蔽シール６の構成は、表面から順に隠蔽性基材層11と熱可塑性樹脂層13と透明プラスチックフイルム層14と粘着剤層15と透明プラスチックフイルム層16と粘着剤層17とが積層された積層体からなるものである。上記の構成の隠蔽シール６を使用することにより、往信時ないしは返信時に下紙片２面に隠蔽シールを確実に貼着できるので個人情報等を隠蔽することができ且つ郵送中に剥離してしまうようなことはない。
【００１５】
第２実施形態における隠蔽シール６を使用して、下紙片２を返信葉書として使用する際には、隠蔽シール６を粘着剤層15と透明プラスチックフイルム層16間で剥離して、下紙片２の往信用の郵便はがきの表示及び隠蔽情報表示欄５を完全に覆うように、隠蔽シール６を粘着剤層15にて下紙片２面に貼着する。隠蔽シール６を剥離することにより下紙片２の裏面には透明プラスチックフイルム層16と粘着剤層17が残り透明となるので、下紙片２の裏面に表示されている返信用の郵便はがきの表示、返信用郵便番号及び返信宛名が露出して見えるようになり、この状態で個人情報等を隠蔽できる返信葉書として使用できるものである。返信葉書を受け取った側にて、隠蔽基材層11を熱可塑性樹脂層13と透明プラスチックフイルム層14間で剥離することにより、返信葉書面に透明プラスチックフイルム層14と粘着剤層15とが残り透明となるので、隠蔽されていた個人情報等を見ることができる。
【００１６】
【発明の効果】
下紙片と下紙片より狭巾の上紙片とを折り重ねて剥離可能に接着され、上紙片の表面に往信用郵便番号及び往信宛名が表示され、下紙片の表面の上紙片の側端から延出する領域に往信用の郵便はがきの表示が施され、下紙片の裏面に返信用の郵便はがきの表示、返信用郵便番号及び返信宛名が表示され、下紙片の裏面の返信用の郵便はがきの表示、返信用郵便番号及び返信宛名を被覆するように隠蔽シールが剥離可能に貼着された構成の返信葉書付き隠蔽葉書であるので、剥離可能に接着された上紙片と下紙片を剥離して切り離し、下紙片の裏面に剥離可能に貼着されている隠蔽シールを剥離して、隠蔽シールが剥離された面に往信時には隠蔽されていた返信用の郵便はがきの表示、返信用郵便番号及び返信宛名を露出させることにより、返信葉書として使用することができるものである。また、返信葉書を同封した封書を使用するのではなしに、通常の葉書として返信葉書を送付することができるので、封書で送付する場合と比べて価格的に安くなるメリットがある。
上記の返信葉書付き隠蔽葉書において、下紙片の表面の上紙片と剥離可能に接着された面に隠蔽を必要とする個人情報等をプリントしおくことにより、剥離可能に接着された上紙片と下紙片を剥離して見開くと、プリントされた個人情報等が露出するので隠蔽葉書として使用することができる。また、下紙片を返信葉書として使用する際に、下紙片の裏面に剥離可能に貼着されている隠蔽シールを剥離し、個人情報等がプリントされた領域に貼着することにより、返信葉書についても個人情報等を隠蔽できる隠蔽葉書として使用することができる。
上記の返信葉書付き隠蔽葉書において、隠蔽シールを、隠蔽性基材層と粘着剤層とからなる構成、ないしは外面から順に隠蔽性基材層と熱可塑性樹脂層と透明プラスチックフイルム層と粘着剤層と透明プラスチックフイルム層と粘着剤層とからなる構成とすることにより、貼着された隠蔽シールを剥離して再度貼着することができる隠蔽シールとして使用することができる。
【図面の簡単な説明】
【図１】本発明の第１実施形態の（イ）は表面を示す図で（ロ）は裏面を示す図。
【図２】図１におけるＩ−Ｉ断面図。
【図３】第１実施形態における展開した状態の上紙片の表面側を示す平面図。
【図４】第１実施形態における展開した状態の上紙片の裏面側を示す平面図。
【図５】第１実施形態において下紙片を返信葉書として使用する状態の（イ）は葉書表面を示す図で（ロ）は裏面を示す図。
【図６】本発明の第２実施形態の構成を示す図２に対応する断面図。
【符号の説明】
１  上紙片
２  下紙片
３，６  隠蔽シール
４  感圧接着剤
５  隠蔽情報表示欄
11  隠蔽基材層
12, 15, 17  粘着剤層
13  熱可塑性樹脂層
14, 16  透明プラスチックフイルム層
【図１】
0003935581.tif 000002
【図２】
0003935581.tif 000003
【図３】
0003935581.tif 000004
【図４】
0003935581.tif 000005
【図５】
0003935581.tif 000006
【図６】
0003935581.tif 000007